(57)【要約】【課題】ガス漏れ警報器１において、ガス漏れ警報器１側でユーザによるカレンダーの設定作業をなくすとともに、ガス漏れ警報器１で記憶する警報及び故障の事象（履歴）の発生日時を明確なものとする。【解決手段】ガス漏れ警報器１とマイコン式のガスメータ（外部装置）２をとインターフェース部１６，２６で接続し、データの送受信を可能にする。ガス漏れ警報器１において警報の発生あるいは故障検出があったときは、ガスメータ２に通信してカレンダー情報を要求し、ガスメータ２からカレンダー情報を取得する。そのカレンダー情報に基づき警報あるいは故障の事象と共にＥＥＰＲＯＭ１５に記憶する。また、ガス漏れ警報器１の電源投入時及び停電後の電源復旧時にもガスメータ２からカレンダー情報を取得し、ガス漏れ警報器１のカレンダー機能を自動設定する。また、深夜以外の時間帯に故障警報及び有効期限警報を行う。また、深夜の時間帯に火災警報判定点を低めに設定する。【選択図】図１
2008250891.tif 000002
【特許請求の範囲】
【請求項１】
第１のカレンダー機能を有する外部装置と通信可能に接続される警報器であって、
前記外部装置との間でデータの送受信を行う通信手段と、
警報、故障、電源投入または電源復旧の何れかの事象を記憶する記憶手段とを備え、
警報発生時、故障発生時、電源投入時か電源復旧時に前記通信手段により前記外部装置が有する第１のカレンダー機能に基づく現在日時を取得し、該警報、故障、電源投入または電源復旧の何れかの事象とともに前記取得した現在日時を前記記憶手段に記憶することを特徴とする警報器。
【請求項２】
前記外部装置がガスメータであることを特徴とする請求項１に記載の警報器。
【請求項３】
請求項２に記載の警報器であって、
第２のカレンダー機能を備え、
前記通信手段により前記ガスメータが有する第１のカレンダー機能に基づく現在日時を取得し、
該現在日時により当該警報器の有する前記第２のカレンダー機能を更新することを特徴とする警報器。
【請求項４】
請求項３に記載の警報器であって、
前記第２のカレンダー機能により予め設定された時間帯に故障検知または有効期限の警報を行うことを特徴とする警報器。
【請求項５】
請求項３に記載の警報器であって、
前記第２のカレンダー機能により予め設定された時間帯は火災警報判定点を低めに設定することを特徴とする火災警報器。
【発明の詳細な説明】
【技術分野】
【０００１】
本発明は、ガス漏れ警報器や火災警報機等の警報器に関し、マイコン式のガスメータ（マイコンメータ）等に通信可能に接続される警報器及び火災警報器に関する。
【背景技術】
【０００２】
近年、ガス漏れ警報器において、ガスのみでなく一酸化炭素の検出及び火災の検出まで実施する高機能型が実用化されている。そして、基本的には、音声、ＬＥＤの点灯色の種類等で警報の識別を行えるようになっている。しかし、上記のような高機能型で多用な警報を知らせるものでは、ユーザからのクレーム等により「ガス漏れ警報器が警報した」などの連絡を受けただけでは警報の種類が判断できない。そこで、最近の警報器には、警報履歴を記憶できる機能が搭載されるようになってきた。また、警報器内部には、自己診断機能も搭載されており、当然故障検出を実施した場合には、故障履歴も不揮発性メモリ等へ記録させる方法をとっている。
【０００３】
しかしながら、ガス漏れとしては、メタンやプロパンを検出する必要があり、現段階では電池式で長期的に安定した警報器は実用化が困難であり、電源としてはＡＣ電源方式が一般的である。このため、設置時に時間設定を行う面倒さや使用中の停電等を考慮してカレンダー機能を搭載しておらず、履歴の目安となる累積通電時間のみ記憶させる程度であった。そして、返却された警報器の累積通電時間と、ユーザが記憶している電源をＯＦＦにした時間とから、履歴の情報を得るようにしている。
【０００４】
なお、ガス漏れ警報器において電池の寿命を管理するためにセンサへの通電時間を記憶しておくものが例えば特許文献１に開示されている。また、また、ガス漏れ発生時の発生日時や、マイコンガスメータにおけるガス遮断の発生時の発生日時等を記憶することが、特許文献２に開示されている。
【特許文献１】特開平６−３１４３９０号公報
【特許文献２】特開２００６−６５７４７号公報
【発明の開示】
【発明が解決しようとする課題】
【０００５】
警報や故障履歴等については、実際は警報、故障が発生した日時が明確になった方が解析等に非常に有利となるが、従来のガス漏れ警報器では、返却された警報器の累積通電時間とユーザが記憶している電源をＯＦＦにした時間とから履歴の情報を得るようにしているので、次のような問題がある。警報履歴等は１個だけでなく、５個とか１０個といったレベルで記憶させるのが一般的であり、その間に停電があったりユーザが電源をＯＦＦにしたりすると、履歴の日時が全く不明となり、解析の一助とはならないことがある。例えば図６のように、履歴１〜履歴５の情報が記憶されていて、履歴３の後でユーザが電源をＯＦＦとした場合、履歴１〜履歴３は時間特定ができない。
【０００６】
また、特許文献１のようにガス漏れ発生時の発生日時等を記憶するものであっても、内部のカレンダーが正しく設定されていなえればならず、カレンダーの初期設定や、停電等によるカレンダーの再設定に手間を要するという問題がある。
【０００７】
本発明は、ガス漏れ警報器において、カレンダーの設定の手間もいらず、警報履歴等の日時を明確に判断できるようにし、警報状況等の解析を有利にすることを課題とする。
【課題を解決するための手段】
【０００８】
請求項１の警報器は、第１のカレンダー機能を有する外部装置と通信可能に接続される警報器であって、前記外部装置との間でデータの送受信を行う通信手段と、警報、故障、電源投入または電源復旧の何れかの事象を記憶する記憶手段とを備え、警報発生時、故障発生時、電源投入時か電源復旧時に前記通信手段により前記外部装置が有する第１のカレンダー機能に基づく現在日時を取得し、該警報、故障、電源投入または電源復旧の何れかの事象とともに前記取得した現在日時を前記記憶手段に記憶することを特徴とする。
【０００９】
請求項２の警報器は、請求項１に記載の警報器であって、前記外部装置がガスメータであることを特徴とする。
【００１０】
請求項３の警報器は、請求項２に記載の警報器であって、第２のカレンダー機能を備え、前記通信手段により前記ガスメータが有する第１のカレンダー機能に基づく現在日時を取得し、該現在日時により当該警報器の有する前記第２のカレンダー機能を更新することを特徴とする。
【００１１】
請求項４の警報器は、請求項３に記載の警報器であって、前記第２のカレンダー機能により予め設定された時間帯に故障検知または有効期限の警報を行うことを特徴とする。
【００１２】
請求項５の警報器火災は、請求項３に記載の警報器であって、前記第２のカレンダー機能により予め設定された時間帯は火災警報判定点を低めに設定することを特徴とする。
【発明の効果】
【００１３】
請求項１の警報器によれば、外部装置のカレンダー機能を利用するのでカレンダーの設定の手間もいらず、警報、故障、電源投入または電源復旧の事象の履歴の日時を明確に判断でき、警報状況等の解析を行うのに大いに役立つ。
【００１４】
請求項２の警報器によれば、請求項１の効果に加えて、外部装置がガスメータという警報器に関連する装置であり、配置場所や使用環境上、接続に適している。
【００１５】
請求項３の警報器によれば、請求項２の効果に加えて、当該警報器が有する第２のカレンダー機能の設定の設定の手間もいらない。
【００１６】
請求項４の警報器によれば、請求項３の効果に加えて、深夜以外の時間帯など予め設定された時間帯において故障検知や有効期限の警報を行うことができる。
【００１７】
請求項５の災警報器によれば、請求項３の効果に加えて、火災警報器として深夜の時間帯など予め設定された時間帯において火災発生監視の機能を高めることができる。
【発明を実施するための最良の形態】
【００１８】
次に、本発明の実施の形態を図面を参照して説明する。図１は本発明の実施形態に係る警報器を使用したガス漏れ警報遮断システムを示す要部ブロック図である。このガス漏れ警報遮断システムは、警報器としてのガス漏れ警報器１と、ガス漏れ警報器１に接続されるマイコン式のガスメータ２（外部装置）とから構成されている。ガス漏れ警報器１は、マイクロコンピュータ（以下、マイコンという）１１、ガスセンサ１２、警報部１３、自己診断部１４、記憶手段としてのＥＥＰＲＯＭ１５及び通信手段としてのインターフェース部１６を備えている。なお、警報部１３は音声出力やＬＥＤ点灯等により警報を出力する回路である。また、図示は省略するがその他の火災センサ等も備えており、このガス漏れ警報器１は火災警報器としても機能する。
【００１９】
このガス漏れ警報器１のマイコン１１は、処理プログラムに従って各種の処理を行うＣＰＵ１１ａと、ＣＰＵ１１ａが行う処理のプログラムなどを格納したＲＯＭ１１ｂと、ＣＰＵ１１ａでの各種の処理過程で利用するワークエリア、各種データを格納するデータ記憶エリアなどを有するＲＡＭ１１ｃ等で構成されており、これらの各要素はバスラインによって接続されている。そして、マイコン１１は、ガスセンサ１２でガス濃度を計測し、そのガス濃度が警報設定点以上となった時に警報部１３から警報を発し、警報解除設定点以下になったときに警報を停止する。また、自己診断部１４により自己診断処理を行って故障の有無を判定する。なお、この実施形態のマイコン１１は、内部のレジスタとタイマにより、時間、日、曜日、月、年の情報の計時及び更新を行うカレンダー機能（第２のカレンダー機能）を備えているが、このカレンダー機能の設定は自動的に行われる。また、後述の他の実施形態として説明するように、このカレンダー機能は備えていなくてもよい。
【００２０】
ガスメータ２は、マイコン２１、図示しない遮断弁を駆動する遮断弁駆動部２２、ガスの流量を検出する流量検出部２３、通信部２４、表示部２５及び通信手段としてのインターフェース部２６を備えている。
【００２１】
このガスメータ２のマイコン２１は、処理プログラムに従って各種の処理を行うＣＰＵ２１ａと、ＣＰＵ２１ａが行う処理のプログラムなどを格納したＲＯＭ２１ｂと、ＣＰＵ２１ａでの各種の処理過程で利用するワークエリア、各種データを格納するデータ記憶エリアなどを有するＲＡＭ２１ｃとを備えている。また、ＣＰＵ２１ａは、所定のレジスタと内部のタイマにより、時間、日、曜日、月、年の情報の計時及び更新を行うカレンダー機能（第１のカレンダー機能）を備えている。なお、このカレンダー機能における時間、日、曜日、月、年の情報を、以下、「カレンダー情報」ともいう。
【００２２】
図４はガス漏れ警報器１におけるインターフェース部１６及びガスメータ２におけるインターフェース部２６の一例を示す回路図であり、インターフェース部１６を例に説明する。このインターフェース部１６は、トランジスタ１６１を介してマイコン１１の出力ポートＯに接続された送信用フォトカプラ１６ａと、マイコン１１の入力ポートＩに接続された受信用フォトカプラ１６ｂを有している。そして、マイコン１１が出力ポートＯからデータを出力することによりトランジスタ１６１がＯＮ／ＯＦＦし、これにより送信用フォトカプラ１６ａを介してトランジスタ１６２がＯＮ／ＯＦＦすることにより、データ線ＤＴからシリアルデータが出力される。また、ガスメータ２からのシリアルデータがデータ線ＤＴに入力されると、トランジスタ１６３がＯＮ／ＯＦＦし、これにより受信用フォトカプラ１６ｂを介して入力ポートＩにシリアルデータが入力される。なお、ガスメータ２におけるインターフェース部２６も同様な回路構成になっている。
【００２３】
以上の構成により、ガス漏れ警報器１とガスメータ２は互いのインターフェース１６，２６を介してデータの伝送を行う。そして、ガス漏れ警報器１からガスメータ２に対してカレンダー情報の要求信号を送信し、ガスメータ２は要求信号を受信するとＣＰＵ２１のカレンダー機能により「カレンダー情報」を読み取る。そして、カレンダー情報信号を送信し、このカレンダー情報信号はガス漏れ警報器１が受信する。なお、この実施形態では通信手段としてのインターフェース部１６，２６は有線により通信するが、無線通信であってもよい。
【００２４】
この伝送される信号は所定のフォーマットになっている。例えば、図５に示すように、１回の伝送信号は、スタート信号（開始信号）、ＳＴＸ信号（テキスト開始）、データ信号（伝送情報）、ＥＴＸ信号（テキスト終了）及び切替信号（終了信号）のシリアルデータにより構成されている。なお、この実施形態では、要求信号とカレンダー情報信号は、曜日、時、分に対応するデータと、年、月、日に対応するデータとがある。前者を「曜時分要求」及び「曜時分応答」のデータ、後者を「年月日要求」及び「年月日応答」のデータとしている。そして、これらのデータは必要に応じて選択したり、両方用いたりする。また、伝送信号には、事業体の情報や、機器番号などの情報も含まれている。
【００２５】
図２及び図３は実施形態のガス漏れ警報器１におけるＣＰＵ１１ａの制御プログラムの要部フローチャートであり、図２は通信処理のフローチャート、図３はメイン処理のフローチャートである。以下、同図に基づいて動作を説明する。図２の通信処理は図３のメイン処理により起動されるものであり、ステップＳ１でガスメータ２に対してカレンダー情報の要求を行う。すなわち、「曜時分要求」の要求信号及び「年月日要求」の要求信号をガスメータ２に対して送信する。次に、ステップＳ２でガスメータ２から伝送されてくるカレンダー情報信号（すなわち「曜時分応答」のカレンダー情報信号と「年月日応答」のカレンダー情報信号）をそれぞれ受信する。次に、ステップＳ３で、内部のカレンダー（レジスタ）のカレンダー情報を更新し、メインルーチンに復帰する。
【００２６】
図３のメイン処理はガス漏れ警報器１の電源が投入されると開始される。まず、電源が投入されると、ステップＳ１１で図２の通信処理を行う。これにより、カレンダーのカレンダー情報がガスメータ２のカレンダー機能により初期設定される。次に、ステップＳ１２，Ｓ１３，Ｓ１４で、警報が有るか（発生しているか）、自己診断により故障が有るかか、停電が有るかを、それぞれ判定する。なお、停電が有るかの判定は停電が既に発生していて電源が復旧した場合に行われるものである。
【００２７】
警報が発生している場合は、ステップＳ１５で通信処理を行ってカレンダー情報を更新し、ステップＳ１６で警報の事象と発生日時（現在の日時）をＥＥＰＲＯＭ１５の対応する記憶領域に記憶し、ステップＳ２０に進む。故障が有る場合は、ステップＳ１７で通信処理を行ってカレンダー情報を更新し、ステップＳ１８で故障の事象と発生日時をＥＥＰＲＯＭ１５の対応する記憶領域に記憶し、ステップＳ２０に進む。停電が発生している場合は、ステップＳ１９で通信処理を行ってカレンダー情報を更新し、ステップＳ２０に進む。ステップＳ２０では、後述のようにユーザに対する警報の通報、故障の通報、有効期限の警報等、その他の処理を行い、ステップＳ１２に戻る。
【００２８】
以上のように、ＥＥＰＲＯＭ１５には警報の事象、故障の事象と共に明確な発生日時が記憶されることになるので、警報、故障の履歴を解析するのに役立つ。また、ガス漏れ警報器１におけるカレンダーは、電源投入時、停電が発生して電源が復旧したときにも、カレンダー情報が更新されるので、ユーザがカレンダー情報の設定を行う必要もない。また、加えてガス漏れ警報器１におけるカレンダーは明確なカレンダー情報を持つことになるので、以下のような対応も可能となる。上記その他の処理において、警報の通報、故障の通報、有効期限の警報等を行っているが、これらの処理は、予め設定された時間帯において行う。すなわち、従来の警報器では、故障検出に関しては深夜に警報を行うと困るという不具合を考慮して、ＬＥＤ表示のみを行うようになっている。
【００２９】
しかしながら、このガス漏れ警報器１では明確なカレンダー情報が得られるので現在時刻が判明する。したがって、「予め設定された時間帯」として、例えば朝の６時から夜の１０時までの時間帯（深夜以外の時間帯）を設定しておき、この設定された時間帯において故障検出に関して定期的に警報を発する処理を行う。また、有効期限切れが発生している場合には、上記設定された時間帯においてこの有効期限の警報を行う。また、火災の発生状況は深夜に発生する確率が高いことが判っており、上記設定された時間帯は火災警報判定点（判定閾値）を低めに設定することも可能となる。上記の時間帯は固定的に設定されたものでもよいし、ユーザによって任意に設定できるようなものにしてもよい。また、上記の故障検出、有効期限切れの検出は、上記の設定された時間帯の中の所定の時刻あるいは設定した時刻において行うようにしてもよい。
【００３０】
なお、以上の実施形態では、ガス漏れ警報器１側にカレンダー機能を備えた場合について説明したが、少なくとも、警報発生時、故障発生時にこれらの事象に対応する発生日時を通信処理によりガスメータ２から得るようにすれば、上記カレンダー機能はなくてもよい。
【００３１】
また、以上の実施形態では外部装置としてガスメータの例を説明したが、外部装置としてはカレンダー機能を有している装置であればよく、例えば、建物に設置された複数の感知器（ガス漏れ警報器、火災警報器など）からの情報に基づいて防災設備を動作させて防災管理を行う集中監視盤などでもよい。
【図面の簡単な説明】
【００３２】
【図１】本発明の実施形態に係るガス漏れ警報器を使用したガス漏れ警報遮断システムを示す要部ブロック図である。
【図２】本発明の実施形態における通信処理のフローチャートである。
【図３】本発明の実施形態におけるメイン処理のフローチャートである。
【図４】本発明の実施形態におけるインターフェース部の一例を示す回路図である。
【図５】本発明の実施形態における伝送信号のフォーマットの一例を示す図である。
【図６】従来の問題点を説明する図である。
【符号の説明】
【００３３】
１      ガス漏れ警報器（警報器）
２      ガスメータ（外部装置）
１１    マイコン
１２    ガスセンサ
１３    警報部
１４    自己診断部
１５    ＥＥＰＲＯＭ（記憶手段）
１６    インターフェース部（通信手段）
２１    マイコン
２６    インターフェース部（通信手段）
【図１】
2008250891.tif 000003
【図２】
2008250891.tif 000004
【図３】
2008250891.tif 000005
【図４】
2008250891.tif 000006
【図５】
2008250891.tif 000007
【図６】
2008250891.tif 000008